【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
育成対象の植物が内部に配置された植物育成室内の二酸化炭素濃度を測定する二酸化炭素濃度測定部と、
前記二酸化炭素濃度測定部の測定結果に基づいて、前記植物育成室内に配置された炭酸塩に酸性物質を供給して前記二酸化炭素濃度を制御する二酸化炭素濃度制御部と、
を備える、
ことを特徴とする二酸化炭素供給システム。
【請求項２】
有機物から二酸化炭素と水素との混合物を生成する有機化合物改質部と、
生成した前記二酸化炭素と前記水素とを分離するＣＯ２／Ｈ２分離部と、
分離された前記二酸化炭素を前記炭酸塩として固定化する二酸化炭素固定化部と、
をさらに備え、
前記二酸化炭素固定化部は、前記ＣＯ２／Ｈ２分離部により分離された前記二酸化炭素と、周期表第２族元素の酸化物と、又は、前記周期表第２族元素の水酸化物と、を反応させて前記炭酸塩を生成する、
ことを特徴とする請求項１に記載の二酸化炭素供給システム。
【請求項３】
前記ＣＯ２／Ｈ２分離部により分離された前記水素を燃料として用いる燃料電池をさらに備え、
前記燃料電池は前記水素を前記燃料として発電した電力を前記二酸化炭素濃度制御部と前記二酸化炭素濃度測定部とのうちの少なくとも１つに供給し、前記二酸化炭素濃度制御部と前記二酸化炭素濃度測定部とのうちの少なくとも１つは供給された前記電力を消費して動作する、
ことを特徴とする請求項２に記載の二酸化炭素供給システム。
【請求項４】
前記二酸化炭素濃度制御部は、目標とする二酸化炭素濃度と前記二酸化炭素濃度の測定値との差に基づいて、前記酸性物質の供給量を調整する制御を行う、
ことを特徴とする請求項１から３のいずれか一項に記載の二酸化炭素供給システム。
【請求項５】
前記酸性物質は酸性液であり、
前記二酸化炭素濃度制御部は、前記二酸化炭素濃度測定部の測定値があらかじめ定めた規定値以下の場合に、目標とする二酸化炭素濃度と前記二酸化炭素濃度の前記測定値とから必要な二酸化炭素供給量を計算し、前記酸性液の濃度と供給速度とからバルブの開時間を計算して前記バルブの開閉制御を行う、
ことを特徴とする請求項１から３のいずれか一項に記載の二酸化炭素供給システム。
【請求項６】
前記植物育成室内に配置され、前記炭酸塩を保持する炭酸塩保持部と、
前記炭酸塩保持部により保持された前記炭酸塩に前記酸性物質を供給する酸性物質供給部と、
をさらに備え、
前記二酸化炭素濃度制御部は、前記二酸化炭素濃度測定部の前記測定結果に基づいて、前記酸性物質供給部を制御して前記酸性物質を前記炭酸塩に供給させて、前記二酸化炭素濃度を制御する、
ことを特徴とする請求項１から５のいずれか一項に記載の二酸化炭素供給システム。
【請求項７】
育成対象の植物が内部に配置された植物育成室内の二酸化炭素濃度を測定する工程と、
前記二酸化炭素濃度の測定結果に基づいて、前記植物育成室内に配置された炭酸塩に酸性物質を供給する工程と、
を含む、
ことを特徴とする二酸化炭素供給方法。
【請求項８】
有機化合物を改質して二酸化炭素と水素との混合物を得る工程と、
前記有機化合物を改質して得られた前記二酸化炭素と前記水素とを分離する工程と、
前記二酸化炭素と前記水素とを分離する工程で得られた前記二酸化炭素を、周期表第２族元素の酸化物と、又は、前記周期表第２族元素の水酸化物と、を反応させて前記炭酸塩を得る工程と、
をさらに含む、
ことを特徴とする請求項７に記載の二酸化炭素供給方法。
【請求項９】
前記二酸化炭素と前記水素とを分離する工程で得られた前記水素を燃料電池の燃料として用いて発電する工程、
をさらに含み、
前記発電する工程で得られる電力の少なくとも一部を、前記二酸化炭素濃度を測定する工程及び前記酸性物質を供給する工程のうちの少なくとも１つの工程の動力源として用いる、
ことを特徴とする請求項８に記載の二酸化炭素供給方法。
【請求項１０】
前記有機化合物は、炭素数が１から５の炭化水素又はアルコールを用いる、
ことを特徴とする請求項８又は９に記載の二酸化炭素供給方法。
【請求項１１】
前記有機化合物は、バイオマス原料から得られる炭化水素又はアルコールを用いる、
ことを特徴とする請求項８又は９に記載の二酸化炭素供給方法。
【請求項１２】
コンピュータに、
育成対象の植物が内部に配置された植物育成室内の二酸化炭素濃度を測定させるステップと、
前記二酸化炭素濃度の測定結果に基づいて、前記植物育成室内に配置された炭酸塩に酸性物質を供給させるステップと、
を実行させる、
ことを特徴とするプログラム。
【手続補正２】
【補正対象書類名】明細書
【補正対象項目名】０００８
【補正方法】変更
【補正の内容】
【０００８】
前記目的を達成するため、本発明に係る二酸化炭素供給システムの一態様は、
育成対象の植物が内部に配置された植物育成室内の二酸化炭素濃度を測定する二酸化炭素濃度測定部と、
前記二酸化炭素濃度測定部の測定結果に基づいて、前記植物育成室内に配置された炭酸塩に酸性物質を供給して前記二酸化炭素濃度を制御する二酸化炭素濃度制御部と、
を備える、
ことを特徴とする。
また、前記目的を達成するため、本発明に係る二酸化炭素供給方法の一態様は、
育成対象の植物が内部に配置された植物育成室内の二酸化炭素濃度を測定する工程と、
前記二酸化炭素濃度の測定結果に基づいて、前記植物育成室内に配置された炭酸塩に酸性物質を供給する工程と、
を含む、
ことを特徴とする。
また、前記目的を達成するため、本発明に係るプログラムの一態様は、
コンピュータに、
育成対象の植物が内部に配置された植物育成室内の二酸化炭素濃度を測定させるステップと、
前記二酸化炭素濃度の測定結果に基づいて、前記植物育成室内に配置された炭酸塩に酸性物質を供給させるステップと、
を実行させる、
ことを特徴とする。
【手続補正３】
【補正対象書類名】明細書
【補正対象項目名】００１０
【補正方法】変更
【補正の内容】
【００１０】
【図１】本発明の一実施形態に係る二酸化炭素供給システムのうち、二酸化炭素生成分離固定システムの装置構成概略図である。
【図２】本発明の一実施形態に係る二酸化炭素供給システムのうち、二酸化炭素再生供給システムの装置構成概略図である。
【図３】本発明の一実施形態に係る、二酸化炭素濃度制御部の構成を示すブロック図である。
【図４】本発明の一実施形態に係る、二酸化炭素濃度制御部の制御フロー図である。
【図５】本発明の一実施形態に係る、二酸化炭素濃度制御部のバルブ開所要時間算出処理の制御フロー図である。
【手続補正４】
【補正対象書類名】明細書
【補正対象項目名】００３５
【補正方法】変更
【補正の内容】
【００３５】
二酸化炭素濃度制御部６０は、その機能が達成できれば、その構成は任意であるが、例えば、図３に示すように、ＣＰＵ（Ｃｅｎｔｒａｌ  Ｐｒｏｃｅｓｓｉｎｇ  Ｕｎｉｔ）６１と、ＲＯＭ（Ｒｅａｄ  Ｏｎｌｙ  Ｍｅｍｏｒｙ）６２と、ＲＡＭ（Ｒａｎｄｏｍ  Ａｃｃｅｓｓ  Ｍｅｍｏｒｙ）６３と、ＲＴＣ（Ｒｅａｌ  Ｔｉｍｅ  Ｃｌｏｃｋ）６４と、記憶部６５と、操作部６６と、表示部６７と、二酸化炭素濃度測定部４０との通信部６８と、酸性液供給部との通信部６９と、から構成される。
【手続補正５】
【補正対象書類名】明細書
【補正対象項目名】００４６
【補正方法】変更
【補正の内容】
【００４６】
具体的に説明すると、二酸化炭素濃度制御部６０は、二酸化炭素濃度測定部４０が常時測定する二酸化炭素濃度データを所定の時間間隔で受け取って（ステップＳ１００）、植物育成室２０内の二酸化炭素濃度があらかじめ定めた二酸化炭素濃度下限値である規定の濃度値（例えば４００ｐｐｍ）以下であるかどうか判定する（ステップＳ１１０）。判定の結果、規定濃度値以下と判定すると（ステップＳ１１０：Ｙｅｓ）、二酸化炭素濃度制御部６０は、あらかじめ定めた二酸化炭素濃度の目標値に到達するのに必要な酸性液を供給するための、バルブ開とする所要時間を算出する処理を行う（ステップＳ１２０）。所要時間算出処理の詳細については後述する。所要時間を算出すると二酸化炭素濃度制御部６０は、（電磁）バルブ５３を開き（ステップＳ１３０）、バルブ５３を開いてからの経過時間をＲＴＣ６４によって測定する。そして経過時間が所要時間に達すると、バルブ５３を閉じる（ステップＳ１４０）。そして二酸化炭素濃度が植物育成室内で均一になると予想される所定の時間が経過したのち、二酸化炭素濃度制御処理は、再び二酸化炭素濃度測定部４０から濃度データを受け取るステップ（ステップＳ１００）に戻る。一方、二酸化炭素濃度制御部６０は、ステップＳ１１０で規定濃度以下ではないと判定すると（ステップＳ１１０：Ｎｏ）、バルブ開閉操作はせず、所定の時間経過後にステップＳ１００に戻る。